(57)【要約】      （修正有）【課題】記録データの管理を容易にする記録再生装置を提供する。【解決手段】ネットワーク接続機能を有する記録再生装置において、ネットワーク接続環境を監視し、利用可能なサーバに対して記録データを転送し、利用可能なサーバがない場合はローカルの記録媒体に記録する。この際管理情報は適宜更新する。これにより、記録データを分散して管理する記録再生装置を実現する。また、記録中や、再生中もしくは記録再生停止中に、管理情報を適宜更新しながら、利用可能なサーバがある場合に自動的に記録データをローカルからサーバへ移動し、ローカルの記録媒体の残容量を増加させ、また、サーバからサーバへデータを移動し、自動的に一元化することで、ユーザを煩わすことなく記録データを管理することで使い勝手を向上する。【選択図】図１
2009021645.tif 000002
【特許請求の範囲】
【請求項１】
映像や音声をデジタル化して記録再生する、ネットワーク機能を有する記録再生装置であって、
自動的あるいはユーザによる設定でサーバへ接続する接続手段と、
記録中あるいは記録済みのデータをサーバへ伝送する伝送手段を備え、
ネットワークの状況や、サーバの伝送状況を監視し、十分な帯域を確保できるサーバへデータを伝送保存することを特徴とする記録再生装置。
【請求項２】
請求項１に記載の記録再生装置であって、
ネットワークの状況や、サーバの伝送状況を監視し、十分な帯域を確保できない場合、自動的に他のサーバを確認し十分な帯域を確保できる際には切り換えてデータを伝送保存することを特徴とする記録再生装置。
【請求項３】
請求項１あるいは、請求項２に記載の記録再生装置であって、
ネットワークの状況や、接続可能なサーバの伝送状況を監視し、十分な帯域を確保できない場合、ローカルな記録媒体へ切り換えてデータを記録することを特徴とする記録再生装置。
【請求項４】
請求項１から請求項３いずれか１項に記載の記録再生装置であって、
分散化して記録されたデータを管理する情報を記録することを特徴とする記録再生装置。
【請求項５】
請求項１から請求項４いずれか１項に記載の記録再生装置であって、
記録データの伝送状況を操作画面に表示することを特徴とする記録再生装置。
【発明の詳細な説明】
【技術分野】
【０００１】
本発明は、記録再生装置に関する。
【背景技術】
【０００２】
パーソナルコンピュータ、AV機器、情報家電機器等様々な機器で扱われる映像や音声データがデジタル化されている。また、インターネット等のネットワークインフラも整備され、ネットワークへ接続可能な機器を利用するユーザも増加している。
【０００３】
従来の記録再生装置では、例えば特許文献１のように、ローカル機器とネットワークを介した外部の記録媒体（例えば、サーバ）とへデータが分散する場合の管理方法を提示した記録方法がある。
【０００４】
【特許文献１】特開２００２−２４０６２号公報
【発明の開示】
【発明が解決しようとする課題】
【０００５】
上記従来技術では、ファイルを構成するデータの１部がローカルで、その他がネットワーク上にある場合についてのファイル管理方法を提示しているが、その運用方法は考えられていなかった。本体内（以下ローカルと記す）の記録媒体と、ネットワーク機能を有する記録再生機器において、実際の利用状況では、あるときはネットワーク、あるときはローカルにある記録媒体を利用する場合があり、それはユーザの意思で切り替えてそのように利用する場合もあるが、ネットワーク上の記録媒体（以下サーバと記す）へ記録する設定で利用していても、何らかの都合で利用できなくなる可能性がある。これは、ネットワークインフラの都合や、その通信状況によって常時状況が変化することから来る制約であり、その運用には工夫が必要である。加えて、記録データが分散化することで、ユーザが記録データを移動やコピー、あるいは編集を加えようとしたときには操作が煩雑になる。
【課題を解決するための手段】
【０００６】
上記課題は、一例として特許請求の範囲記載の構成により解決される。
【０００７】
具体的には、ネットワーク接続機能を有する記録再生装置において、ネットワーク接続環境を監視し、利用可能なサーバに対して記録データを転送し、利用可能なサーバがない場合はローカルの記録媒体に記録する。この際管理情報は適宜更新する。また、記録中や、再生中もしくは記録再生停止中に、管理情報を適宜更新しながら、利用可能なサーバがある場合に自動的に記録データをローカルからサーバへ移動し、ローカルの記録媒体の残容量を増加させ、また、サーバからサーバへデータを移動し、自動的に一元化する。
【発明の効果】
【０００８】
本発明により、記録データの管理を容易にする記録再生装置を提供できる。
【発明を実施するための最良の形態】
【０００９】
以下、本発明の実施例を説明する。
【実施例１】
【００１０】
先ず、図１は本発明を適用した一実施形態である記録再生装置と、ネットワークとの接続を示す構成図である。図１において、１００はカメラ、１０１はサーバ、１０２はネットワークを示す。システム制御回路１０３はCPUやメモリを持ち、システム全体を制御する。図示はしないが、一般的にユーザがボタン等を操作する際の入力情報も、システム制御回路１０３が処理する。１１２のカメラ制御回路は撮影した映像音声データを取得し、CODEC(COmpression/DECompression)回路１０５へデータを渡す。１０５のCODEC回路は、必要に応じてMPEG(Moving Picture Experts Group)やJPEG(Joint Photographic coding Experts Group)と言った映像、音声情報の圧縮を行う。これらの映像音声データや、外部入力端子１１４からの入力信号を外部入力回路１０４が所望の信号変換処理を行い得られた映像音声データは、必要に応じて、CODEC回路１０５にて圧縮され、記録制御回路１０６にて、記録媒体１０７のHDD(Hard Disk Drive)や、記録媒体１１５のBD(Blu-ray Disc)やDVD(Digital Versatile Disc)に記録される。なお、本実施形態において、書き込むための記録媒体は、HDDや、DVDであるものとして説明をするが、本発明はこれに限らず、リムーバル用途での利用を想定した、セキュリティ機能に対応したHDD、光磁気ディスク、半導体メモリなど、情報を記録する記録媒体に適応することができる。
【００１１】
また、扱う映像音声情報が著作権保護の必要がある場合などは、上記において記録する前に、暗号化/復号化回路１１１にて暗号化/復号化鍵を生成し、暗号化してから記録する。
【００１２】
記録時の映像音声データ、再生時に記録媒体１０７、１０９から記録制御回路１０６が読み出したデータを、必要に応じて暗号化/復号化回路１１１にて複合化し、CODEC回路１０５にてデコード(伸張)処理したデータを、表示制御回路１０８にて表示装置１０９へ出力する。ネットワーク制御回路１１０は、前記映像音声データをネットワーク経由で伝送する処理を行う。これにより、カメラ１００の扱うデータを書き出しあるいは読み出すために、ネットワーク接続されるサーバ１０１へアクセスすることが可能となる。
【００１３】
図２は、本発明を適用した一実施形態であるカメラにおいて、ユーザが記録したデータの管理構成を示すものである。ここでは説明を簡単にするため映像について記すが、音声についても同様の方法で管理される。
【００１４】
図２において、２００は映像管理ファイルを示し、２０１は管理ヘッダ情報を示し、記録管理情報（記録日時や記録方式、分散化している記録データのインデックス数等と言ったユーザ操作画面の作成や、再生に必要な情報）が格納される。２０２はインデックス情報を示し、分散化した記録データを特定（ローカルかあるいはどのサーバか等）するために利用される。
【００１５】
２１０はローカルの記録媒体に記録された映像ファイルを示し、２１１は映像ヘッダ情報を示し、映像に関する情報だけでなく、関連する記録データへのリンク情報も格納され、再生時の補助情報として、次に再生すべきデータの先読みにも利用可能である。２１２は映像ストリームデータを示し、CODEC回路１０５で圧縮伸張される映像データが格納される。
【００１６】
２２０、２３０はサーバに記録された映像ファイルを示し、２２１、２３１は映像ヘッダ情報、２２２、２３２は映像ストリームデータを示し、前述のローカルの記録媒体で記した夫々の情報と同様の構成である。
【００１７】
なお、前述のファイルは、夫々独立したファイルであっても、１ファイル内で管理されても良いが、一般的には管理ファイルは映像ファイルとは独立したファイルとして運用される。
【００１８】
図３、図４は、本発明を適用した一実施形態であるカメラにおいて、記録データの伝送について示す。
【００１９】
３００はカメラを示し、３０１はディスク型の記録媒体、３０２はHDDを示す。これらは、固定型であってもリムーバル型であっても良いし、半導体メモリ等の記録媒体でも良い。３０３、３０４はサーバを示し、ここでは説明のため３０３をサーバＡ、３０４をサーバＢとする。３０５はネットワークを示す。カメラ３００からの記録データはネットワーク３０５の状況や、サーバ３０３，３０４の状況によって、記録データ伝送パターン（１）〜（４）を自動的に切り替えながら記録を行う。
【００２０】
図３の記録データ伝送パターン（１）について説明する。カメラ３００にて記録時に、サーバＡ３０３とサーバＢ３０４の伝送状況が良好で、ユーザのメインサーバ（主として利用しているサーバ）がサーバＡ３０３の場合や、サーバＡ３０３の伝送状況が良好でサーバＢ３０４の伝送状況が良好でない場合、カメラ３００からの記録データは図示した伝送方向でサーバＡ３０３へ伝送され記録される。
【００２１】
図３の記録データ伝送パターン（２）について説明する。カメラ３００にて記録時に、サーバＢ３０４の伝送状況が良好でサーバＡ３０３の伝送状況が良好でない場合、カメラ３００からの記録データは図示した伝送方向でサーバＢ３０４へ伝送され記録される。
【００２２】
図３の記録データ伝送パターン（３）について説明する。カメラ３００にて記録時に、サーバＡ３０３とサーバＢ３０４の伝送状況が良好でない場合、あるいは、ネットワーク３０５の状況が良好でない場合、カメラ３００からの記録データはローカルのディスク３０１やHDD３０２へ記録される。
【００２３】
図４の記録データ伝送パターン（４）について説明する。カメラ３００にて記録時、再生時、あるいは記録再生停止時に、サーバＡ３０３とサーバＢ３０４の伝送状況が良好で、ユーザのメインサーバがサーバＡ３０３の場合や、サーバＡ３０３の伝送状況が良好でサーバＢ３０４の伝送状況が良好でない場合、カメラ３００のディスク３０１やHDD３０２へ記録済みデータは図示した伝送方向でサーバＡ３０３へ伝送され記録される。サーバへ伝送したデータはローカルな記録媒体からは削除する。すなわち記録データを移動したことになる。これによりローカルの記録媒体の残容量を自動的に増加できる。もちろん、ユーザの設定により、カメラ３００のローカルな記録媒体へ記録データを残しても良い。
【００２４】
図４の記録データ伝送パターン（５）について説明する。カメラ３００にて記録時、再生時、あるいは記録再生停止時に、サーバＡ３０３とサーバＢ３０４の伝送状況が良好で、ユーザのメインサーバがサーバＡ３０３の場合、サーバＢ３０４へ記録済みデータはサーバＡ３０３へ伝送され記録される。サーバＡ３０３へ伝送したデータはサーバＢ３０４からは削除する。すなわち記録データを移動したことになる。これにより自動的記録データをサーバＡ３０３へ一元化できる。なお、ユーザの設定により、記録データを分散化したままでも良い。
【００２５】
前述の機能により、ネットワークを利用可能な状況では、ユーザはローカルの記録媒体の残容量を気にすることなく記録することができる。また、記録データの分散化、一元化所望の方法で管理が可能となる。一元化する利点は、例えば、サーバで利用できる記録容量が従量制課金のような場合に、ユーザ所望のサーバに記録データを集中できることである。
【００２６】
次に、本発明を適用した一実施形態であるカメラにおいて、記録時の動作フローについて、図５を用いて説明する。
【００２７】
ユーザによる記録が開始され、Ｓ５００にてサーバとのデータ伝送状況の確認を行う。例えば、システム制御回路１０３が、ネットワーク制御回路１１０にてサーバとの接続状況を確認する。システム制御回路１０３が、Ｓ５０１にて伝送状況が良好と判断した場合、Ｓ５０３にてネットワーク制御回路１１０にてサーバへ記録データを送信し記録する。もしＳ５０１にて伝送状況が良好でないと判断された場合、システム制御回路１０３はＳ５０２にて全てのサーバ（ユーザが予め登録したサーバや、自動的に設定し利用可能なサーバを示す）を調査完了したか判定し、全てのサーバを調査していなければ次のサーバについて、Ｓ５００からの処理を行う。Ｓ５０２にて全てのサーバの調査を完了し、利用可能なサーバが見つからなかった場合は、Ｓ５０４にてローカルの記録媒体、例えば、ディスク媒体１１５やHDD１０７へ記録する。以上のように記録データを記録する際に、システム制御回路１０３は、Ｓ５０５にて記録データをどこへ記録したのかを示すインデックス情報を記録制御回路１０６経由でディスク媒体１１５やHDD１０７へ記録する。
【００２８】
更に、本発明を適用した一実施形態であるカメラにおいて、記録時、再生時、記録再生停止時の動作フローについて、図６を用いて説明する。
【００２９】
ユーザによる記録あるいは、再生がされている時、または、再生停止時において、Ｓ６００にてサーバとのデータ伝送状況の確認を行う。例えば、システム制御回路１０３が、ネットワーク制御回路１１０にてサーバとの接続状況を確認する。システム制御回路１０３が、Ｓ６０１にて伝送状況が良好と判断した場合、Ｓ６０３にて記録制御回路１０６経由でディスク媒体１１５やHDD１０７から記録データを読み出し、Ｓ６０４にてネットワーク制御回路１１０にてサーバへ記録データを送信し記録する。続いて、システム制御回路１０３が、Ｓ６０５にて記録制御回路１０６経由でディスク媒体１１５やHDD１０７から記録データを削除する。（これは移動動作を示すが、ユーザの設定によってはローカルの記録データを削除せずコピー動作しても良い。）次に、システム制御回路１０３が、Ｓ６０６にてインデックス情報を記録制御回路１０６経由でディスク媒体１１５やHDD１０７へ記録する。もしＳ６０１にて伝送状況が良好でないと判断された場合、システム制御回路１０３はＳ６０２にて全てのサーバ（ユーザが予め登録したサーバや、自動的に設定し利用可能なサーバを示す）を調査完了したか判定し、全てのサーバを調査していなければ次のサーバについて、Ｓ６００からの処理を行う。Ｓ６０２にて全てのサーバの調査を完了し、利用可能なサーバが見つからなかった場合は、元の処理を継続する。
【００３０】
上述と同様の手法で、サーバから他のサーバへの記録データ伝送も実現できる。具体的には、Ｓ６０３にてサーバから記録データを読み出しながらＳ６０４にて他のサーバへ伝送し記録する。
【００３１】
最後に、本発明を適用した一実施形態であるカメラにおいて、記録時の画面例について図７を用いて説明する。
【００３２】
図７において、７００は表示装置１０９（詳細は図示しないが、カメラの例では、ビューファインダーや液晶パネルが一般的である。）に表示される画面を示す。７０１は動画記録モードを示すアイコン表示を示す。７０２は記録画質モードや、記録時間を示すカウンタ表示を示す。７０３は、録画中、録画停止中等を示すアイコン表示を示す。前述の表示は既知のカメラでの表示である。７０４は、ディスクへの記録中であることを示すアイコン表示である。同様に、７０５は、HDDへの記録中であることを示すアイコン表示である。７０６は、サーバとの伝送中であることを示すアイコン表示を示す。図のようにサーバを識別する番号等を重畳表示しても良い。これらの表示は、システム制御回路１０３が、前述の動作フローでの記録データの読み込み、記録、伝送のステップにて表示制御回路１０８経由で表示装置１０９にて表示を行う。
【００３３】
上述により、ユーザに現在の動作状況を示すことができる。
【００３４】
以上より、記録時、再生時に関わらず、サーバへ記録データを記録して、分散化や、一元化して記録管理する機器を実現でき、ユーザにとって使い勝手の良い記録再生装置を実現できる。以上に説明した方法と同様の方法でネットワーク経由でサーバへアクセスし、図２で説明した管理情報を基に必要な記録データを読み出し、分散化あるいは一元化されたサーバの記録データを利用して再生動作も実現できる。
【００３５】
このように、本発明ではネットワーク接続機能を有する記録再生装置において、ネットワーク接続環境を監視し、利用可能なサーバに対して記録データを転送し、利用可能なサーバがない場合はローカルの記録媒体に記録する。この際管理情報は適宜更新する。これにより、記録データを分散して管理する記録再生装置を実現する。また、記録中や、再生中もしくは記録再生停止中に、管理情報を適宜更新しながら、利用可能なサーバがある場合に自動的に記録データをローカルからサーバへ移動し、ローカルの記録媒体の残容量を増加させ、また、サーバからサーバへデータを移動し、自動的に一元化することで、ユーザを煩わすことなく記録データを管理することで使い勝手を向上する。
【００３６】
以上、本発明の好適な実施例としてネットワーク接続するための通信手段を持つ映像や音声を記録再生可能な装置であって、特に、ビデオカメラ等、記録装置と、リモコン等の操作用ボタンを備える装置について説明した。
【００３７】
本発明によれば、ユーザの手を煩わすことなく、ローカルの記録媒体の残容量を確保し、ネットワークの状況不良でサーバへ記録データを伝送できない場合などのために備えながら、記録データの管理を容易にする記録再生装置を提供できる。
【図面の簡単な説明】
【００３８】
【図１】本発明の一実施形態であるカメラの構成図である。
【図２】本発明の一実施形態であるカメラで扱う、管理データと映像データの構造を示す図である。
【図３】本発明の一実施形態であるカメラで扱う、記録データの伝送パターン（１）〜（３）を示した図である。
【図４】本発明の一実施形態であるカメラで扱う、記録データの伝送パターン（４）〜（５）を示した図である。
【図５】本発明の一実施形態であるカメラによる、記録時の動作フローを示した図である。
【図６】本発明の一実施形態であるカメラによる、記録データ一元化の動作フローを示した図である。
【図７】本発明の一実施形態であるカメラで扱う、表示画面の例を示した図である。
【符号の説明】
【００３９】
１００…カメラ、１０１…サーバ、１０２…ネットワーク、１０３…システム制御回路、１０４…外部入力制御回路、１０５…CODEC回路、１０６…記録制御回路、１０７…HDD、１０８…表示制御回路、１０９…表示装置、１１０…ネットワーク制御回路、１１１…暗号化／複合化回路、１１２…カメラ制御回路、１１４…外部入力端子、１１５…BD/DVD。
【図１】
2009021645.tif 000003
【図２】
2009021645.tif 000004
【図３】
2009021645.tif 000005
【図４】
2009021645.tif 000006
【図５】
2009021645.tif 000007
【図６】
2009021645.tif 000008
【図７】
2009021645.tif 000009